(57)【要約】【課題】止水板を用いる止水装置は重量が大きくなり設置も難しいという問題点があるのでこれを解決する軽量で簡単に設置することができる止水装置を提供する。【解決手段】パイプを用いた自立するフレーム部とこれを覆う止水シートを備え、前面からの水を止水するテント式止水装置であって、前記フレーム部は地面又は床に接する底辺部とこれに接続されると共に互いに接続されて立設される少なくとも二つの立設部を備え、前記止水シートが、前記フレーム部の少なくとも前面及び側面を覆う。前記テント式止水装置と前記二つの壁との対向部及び前記テント式止水装置と前記テント式止水装置が設置された床との対向部において、該対向部と前記二つの壁及び前記床との間に止水部材が充填されて止水する。前記止水部材は、前記止水部材を除くテント式止水装置を構成する部品を組み立てた後に付着される別部品として構成される。【選択図】図１
2017222997.tif 000002
【特許請求の範囲】
【請求項１】
パイプを用いた自立するフレーム部とこれを覆う止水シートを備え、前面からの水を止水するテント式止水装置であって、
前記フレーム部は地面又は床に接する底辺部とこれに接続されて上方へ伸びる少なくとも二つの立設部を備え、
前記止水シートが、前記フレーム部の少なくとも前面及び側面を覆うことを特徴とするテント式止水装置。
【請求項２】
前記フレーム部が前記テント式止水装置の両端に位置する第一立設部及び第二立設部を備え、前記第一立設部及び第二立設部がそれぞれ対向方向へ延伸するパイプ保持部を有し、該パイプ保持部が前記パイプにより接続されて前記フレーム部が構成されることを特徴とする請求項１に記載のテント式止水装置。
【請求項３】
前記第一立設部及び前記第二立設部の中間部に、中間立設部が設けられ、該中間立設部が、前記第一立設部及び前記第二立設部へそれぞれ対向するパイプ保持部を有し、該パイプ保持部が前記第一立設部及び前記第二立設部のパイプ保持部との間を前記パイプにより接続されて前記フレーム部が構成されることを特徴とする請求項２に記載のテント式止水装置。
【請求項４】
前記第一立設部及び前記第二立設部の中間部に、弓型の補強部材が設けられ、止水時に水圧で下へたるむ前記止水シートを保持することを特徴とする請求項２又は３に記載のテント式止水装置。
【請求項５】
前記弓型の補強部材の下端に、フレーム部の下辺部よりも下へ伸びる移動防止部が設けられていることを特徴とする請求項４に記載のテント式止水装置。
【請求項６】
前記止水シートの端部にパイプ巻き付け部が設けられ、該パイプ巻き付け部に、該パイプ巻き付け部を前記パイプへ巻きついた状態で保持する一時固着部材が備えられていることを特徴とする請求項１乃至５の何れか１項に記載のテント式止水装置。
【請求項７】
前記止水シートの側面部に両端へ延伸するエプロン部が設けられていることをことを特徴とする請求項１乃至６の何れか１項に記載のテント式止水装置。
【請求項８】
別部品として構成される止水部材が、前記テント式止水装置の設置後に該テント式止水装置と地面又は床との間へ付着されて止水することを特徴とする請求項１乃至７の何れか１項に記載のテント式止水装置。
【請求項９】
前記止水部材が、シール材とこれを覆う網目繊維を保持するＬ字部材で構成されることを特徴とする請求項８に記載のテント式止水装置。
【請求項１０】
前記Ｌ字部材の前記網目繊維に接する面に前記シール材の前記Ｌ字部材からの剥離が容易になる加工をされていることを特徴とする請求項９に記載のテント式止水装置。
【請求項１１】
前記テント式止水装置と地面又は床との間を止水する前記止水部材を前方から抑えるシール材抑え部材を備えることを特徴とする請求項８乃至１０何れか１項に記載のテント式止水装置。
【発明の詳細な説明】
【技術分野】
【０００１】
本発明は、建物の外から流れ込む水を止水するテント式止水装置に関する。
【背景技術】
【０００２】
従来、直立固定された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）の上側を水が流れ、直立した止水枠板に沿って設けられた部分（壁面止水部）によって止水される。即ち、止水板を挟んで一方側から他方側に向かう方向を流水方向とする水が止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、床に凹凸が形成されていたり砂等の異物が存在していたりすると、防水布が床に密着せずに隙間が形成され、水が浸入してしまうことがある。このような隙間に水が浸入すると、防水布に浮力が生じてさらに水が浸入しやすくなってしまうので隙間への水の侵入を防ぐことが課題となる。
【０００５】
また止水板を用いる止水装置は重量が大きくなり設置も難しいという問題点がある。したがって、本発明の目的は、軽量で簡単に設置することができる止水装置を提供することにある。
【課題を解決するための手段】
【０００６】
本発明のテント式止水装置は、パイプを用いた自立するフレーム部とこれを覆う止水シートを備え、前面からの水を止水するテント式止水装置であって、前記フレーム部は地面又は床に接する底辺部とこれに接続されて上方へ伸びる少なくとも二つの立設部を備え、
前記止水シートが、前記フレーム部の少なくとも前面及び側面を覆うことを特徴とする。
【０００７】
パイプによるフレーム部なので軽量になり設置を簡便にすることができる。
【０００８】
本発明のテント式止水装置は、フレーム部がテント式止水装置の両端に位置する第一立設部及び第二立設部を備え、前記第一立設部及び第二立設部がそれぞれ対向方向へ延伸するパイプ保持部を有し、該パイプ保持部が前記パイプにより接続されて前記フレーム部が構成されることを特徴とする。
【０００９】
前記フレーム部が前記テント式止水装置の両端に位置する第一立設部及び第二立設部を有し、それが横方向へ延びるパイプで連結されているので、フレーム部が自立して止水シートを支えることができる。
【００１０】
本発明のテント式止水装置は、第一立設部及び前記第二立設部の中間部に、中間立設部が設けられ、該中間立設部が、前記第一立設部及び前記第二立設部へそれぞれ対向するパイプ保持部を有し、該パイプ保持部が前記第一立設部及び前記第二立設部のパイプ保持部との間を前記パイプにより接続されて前記フレーム部が構成されることを特徴とする。
【００１１】
第一立設部及び前記第二立設部の中間部に中間立設部が設けられているので、用途に応じていろいろな幅の止水装置を構成することができる。
【００１２】
本発明のテント式止水装置は、第一立設部及び前記第二立設部の中間部に、弓型の補強部材が設けられ、止水時に水圧で下へたるむ前記止水シートを保持することを特徴とする。
【００１３】
第一立設部及び第二立設部の中間部に、弓型の補強部材が設けられていて、水圧で止水シートが下へたるむ際にこれを支え、下方への圧力で止水装置が安定化する。
【００１４】
本発明のテント式止水装置は、前記弓型の補強部材の下端に、フレーム部の下辺部よりも下へ伸びる移動防止部が設けられていることを特徴とする。
【００１５】
水圧で、移動防止部が地面や床へ強く接触して食い込むことで水圧による止水装置の移動を防止することができる。
【００１６】
止水シートの端部にパイプ巻き付け部が設けられ、該パイプ巻き付け部に、該パイプ巻き付け部を前記パイプへ巻きついた状態で保持する一時固着部材が備えられていることを特徴とする。
【００１７】
止水シートの端部にパイプ巻き付け部が設けられ、該パイプ巻き付け部に、該パイプ巻き付け部を前記パイプへ巻きついた状態で保持する一時固着部材が備えられているのでフレーム部を構成するパイプと止水シートの接続を容易にすることができる。
【００１８】
本発明のテント式止水装置は、止水シートの側面部に両端へ延伸するエプロン部が設けられていることを特徴とする。
【００１９】
止水シートの側面部に両端へ延伸するエプロン部が設けられているので、止水する場所の両端の壁にこのエプロンを粘着することで止水効果を得ることができる。
【００２０】
本発明のテント式止水装置は、別部品として構成される止水部材が、テント式止水装置の設置後に該テント式止水装置と地面又は床との間へ付着されて止水することを特徴とする。
【００２１】
別部品として構成される止水部材が、テント式止水装置を設置後に該テント式止水装置と地面又は床との間へ付着されるので地面や床の凹凸によるテント式止水装置との隙間を止水部材が塞いで止水効果を得ることができる。
【００２２】
本発明のテント式止水装置は、前記止水部材が、シール材とこれを覆う網目繊維を保持するＬ字部材で構成されることを特徴とする。
【００２３】
止水部材が、シール材とこれを覆う網目繊維を保持するＬ字部材で構成されるので、粘着性のシール材の扱いが容易になり、Ｌ字部材を介して押圧することでシール材をテント式止水装置と地面や床との隙間へ簡便に押し込んで止水効果を得ることができる。
【００２４】
本発明のテント式止水装置は前記Ｌ字部材の前記網目繊維に接する面に前記シール材の前記Ｌ字部材からの剥離が容易になる加工をされていることを特徴とする。
【００２５】
前記Ｌ字部材の前記網目繊維に接する面に前記シール材の前記Ｌ字部材からの剥離が容易になる加工をされているので、Ｌ字部材にシール材が粘着することを防止して作業性が改善される。
【００２６】
本発明のテント式止水装置は、テント式止水装置と地面又は床との間を止水する止水部材を前方から抑えるシール材抑え部材を備えることを特徴とする。
【００２７】
止水時に水の圧力でテント式止水装置が後方へ移動することがあるが、テント式止水装置と地面又は床との間を止水するシール材を前方から抑えるシール材抑え部材があるので、テント式止水装置が後方へ移動することがあってもシール材がテント式止水装置と共に移動することで、止水効果を維持することができる。
【図面の簡単な説明】
【００２８】
【図１】（Ａ）本発明テント式止水装置の前面から見た骨組み構造を示す斜視図である。（Ｂ）移動防止部の説明図である。（Ｃ）フレーム部へ止水シートを被せた状態の説明図である。
【図２】シート部の端部をパイプへ接続する説明図である。
【図３】中間立設部の説明図である。
【図４】フレーム部の可変幅を実現するパイプ接続の説明図である。
【図５】止水部材の説明図である。
【図６】エプロン部の説明図である。
【図７】シール材抑え部材の説明図である。
【図８】テント式止水装置の設置の様子を示す説明図である。
【発明を実施するための形態】
【００２９】
以下、本発明の実施形態を図面に基づいて説明する。図１に示す本実施形態のテント式止水装置は、建物へ向かう水を止水して建物内部の浸水を防止するために、自立するフレーム部とこれを覆う止水シートにより構成されている。テント式止水装置は例えば定着物としての建物の略鉛直に立設された壁の間の開口部を保護するように設置される。
【００３０】
本実施形態において、テント式止水装置の左右方向を幅方向とし、鉛直方向を上下方向とし、幅方向及び上下方向に略直交する方向を奥行方向とする。また、テント式止水装置から見て水の浸入する側を奥行方向の一方側とし、建物側を奥行方向の他方側とする。また、図１のテント式止水装置の手前を前面、後ろを背面とする。
【００３１】
テント式止水装置は、止水するシート部とこれを力学的に支えるフレーム部とで構成される。フレーム部は基本的に止水装置の両端に立設される第一立設部１１と第二立設部１２をパイプ１３，１４，１５で結ぶことで構成される。
立設部は、上方へ伸びる２本のパイプと地面又は床に平行に置かれる１本のパイプを互いに接続して略直角三角形を形成する。地面又は床に直角に上方へ伸びるパイプは建物の壁などに接して水圧を受け止めることがある。
【００３２】
第一立設部１１と第二立設部１２を結ぶパイプ１３，１４，１５は第一立設部１１と第二立設部１２に設けられたパイプ保持部へ接続される。パイプ保持部は互いに対向方向へ伸びており、パイプ１３，１４，１５の外形が収まる内径を有するパイプなどで構成される。パイプ１４，１５は立設部１１，１２を底辺部で接続しパイプ１３は上辺部で立設部１１，１２を接続する。
【００３３】
テント式止水装置は、フレーム部１へ止水シート２を上から被せて覆って構成される。ここで止水シート２は、例えばポリエチレン等の合成樹脂によって形成されたタープであり、フレーム部を覆えるように縫製で形成される。止水シートはフレーム部の前面と側面を覆うことが必須である。底面を覆う形状にすると、ここへ押圧用の水袋などを置いて止水装置の安定化を図ることができる。また、底面を網目にして上からシール材を押し付けることで底面での止水を図ることもできる。シートの受ける水圧は立設部１１，１２の斜めの部材及び、立設部１１，１２の間のパイプに固定される弓形の補強部材３０で支えられる。補強部材が上に凹形状になっているので水圧は下方へも掛かり、止水装置を下方へ押圧することで、止水装置の安定化に役立つ。
【００３４】
また、弓型の補強部材３０の下端に、フレーム部の下辺部のパイプ１５よりも下へ伸びたＵ字型の移動防止部３０１を設けることで、水圧による下への圧力でＵ字型の下端部が地面や床へ強く接触して止水装置の水圧による移動を妨げることができる。
【００３５】
このテント式止水装置は、図８に示すように建物の壁に立設部１１，１２の鉛直部が止水シートを介して当たるように設置することが好ましい。そうすると、フレーム部で支えられた奥行き方向への力は立設部１１，１２の鉛直部を介して建物の壁へ伝達されて水圧を支える。この鉛直部の高さはテント式止水装置が都市部の洪水での水位に対応するとともに、人が跨ぐことができるような高さ（例えば３００〜６００ｍｍ）にすることが好ましい。
【００３６】
図２を用いてテント式止水装置の止水シートの端部３１をフレーム部のパイプへ接続する方法を説明する。止水シートの端部３１には、一時固着部材３２が対向するように設けられたパイプ巻き付け部が備えられており、パイプを巻くように包んだ状態でこの一時着部材を貼り合わせることで止水シートの端部３１がパイプ１５などへ接続される。
【００３７】
テント式止水装置の止水幅を広げる場合は、両端の第一立設部１１と第二立設部１２の中間部へ図３に示す中間立設部４０を設ける。中間立設部４０はその両端に第一及び第二立設部１１，１２と同様にパイプ保持部を備えていて、ここへ横方向へ延びるパイプを接続することで止水装置の幅を任意に変えることができる。また、図４に示すように横方向のパイプとして短いパイプ４２，４３，４４を接続部材４６、４８で接続することで任意の長さの止水幅を実現することができる。
【００３８】
止水装置と建物や地面及び床との間の隙間から水が漏れ入ることを防止するために図５に示す止水部材５０を用いる。止水部材５０はテント式止水装置の組み立てが終わってからテント式止水装置と両端と壁との間、及びテント式止水装置と床との隙間を充填するために使われる。
【００３９】
止水部材５０は、シール材５５の周りを網目繊維５６で覆ったものを、Ｌ字部材５７へ装着して構成される。Ｌ字部材５７のシール材を載せる面５８へ必要に応じてシール材に対して剥離容易なシートを貼りつけたり塗料を塗るなどの加工をすることで剥離層を形成して粘着力の強いシール材をＬ字部材から外すことが容易になる。
【００４０】
図６に止水シートの両端の側面部に設けられるエプロン部の様子を示す。エプロン部は止水シート本体の側面部と接続されており、建物の壁や地面又は床と止水装置の両端部での漏水を防止する。図６に示すエプロン部は、建物の壁へ粘着される壁用のエプロン部６０と、地面又は床へ粘着される床用エプロン部から構成されている。必要に応じて、壁用と床用それぞれのみの構成も可能である。
【００４１】
エプロン部は通常のシートでもよいが、網目構造にすると、ここへ柔軟な粘着剤を押し付けることで網目を通して粘着剤が建物や、地面又は床の凹凸へ入り込みエプロン部の部分での漏水を防止することができる。また、強固な止水を図る場合には、粘着剤の代わりに接着材を用いても良い。
【００４２】
図７にＬ字型のシール材抑え部材５９を示す。止水装置は水圧によって後方へ移動することがある。その際に止水装置と地面又は床との間に挿入されたシール材が取り残されることがあり止水性能が落ちる懼れがある。そこで、このシール材抑え部材５９を地面又は床に接しているパイプ１５へネジなどで固定することで、止水装置が移動しても、シール材が共に移動するので止水性能が落ちることが少なくなる。
【００４３】
図８に本発明に掛かるテント式止水装置１０を建物の壁の間へ設置する様子を示す。止水装置１０のフレーム部１の横幅を建物の壁１００，１０１間の幅よりも大きくすることで、テント式止水装置の両端の立設部１１，１２の鉛直部が建物の壁に当たり水圧を抑えることができる。この図８では、エプロン部２８，２９が設けられているが、立設部のパイプと建物の壁１００，１０１を止水部材５０で止水することができる場合には、エプロン部２８，２９を省略することができる。
【００４４】
テント式止水装置の撤去は、設置と逆の手順で撤去されればよい。シール材５５を床から剥離する際には、シール材の材質に応じた方法を採用すればよい。例えば、シール材がパテである場合には、霧吹き等を用いて少量の水を撒くことにより、床からの剥離が容易となる。テント式止水装置を撤去した後に再設置する場合には、止水部材５０を新たなものに交換し、上記と逆の手順で設置する。こうすることで、新たな止水部材５０により新たなシール材５５を充填して再設置時にも同様の止水性能を得ることができる。
【００４５】
なお、本発明は、前記実施形態に限定されるものではなく、本発明の目的が達成できる他の構成等を含み、以下に示すような変形等も本発明に含まれる。
【００４６】
また、前記実施形態では、シール材５５としてポリブテン樹脂及び合成樹脂接着剤を基材とするパテを例示したが、シール材５５は、加圧されることで変形して対象物に密着するとともに、変形後の形状を維持するような性質を有していればよく、例えば、軟性を有する（硬化剤を含まない）その他のパテや樹脂粘土等であってもよいし、発泡ウレタン等の発泡性の部材であってもよい。即ち、止水シート２の床に接する面に沿うようにスプレーによって発泡ウレタンを設け、さらにＬ字部材を配置することで止水手段としてもよい。
【００４７】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４８】
１  テント式止水装置のフレーム部
２  止水シート
１０  テント式止水装置
１１  第一立設部材
１２  第二立設部材
１３  上辺部横部材
１４  底辺部後横部材
１５  底辺部前横部材
２２  止水シート後部
２３  止水シート前部
２４  止水シート底部
２５，２６，２７  止水シート端部
２８，２９  エプロン部
３０  補強部材
３０１  移動防止部
３１  パイプ接続部
３２  一時固着部材
４０  中間立設部
４１  第二止水板
４２、４３、４４  接続用パイプ
４６、４８  接続部材
５０  止水部材
５５  シール材
５６  網目繊維
５７  Ｌ字部材
５８  剥離層
５９  シール材抑え部材
６０  壁用エプロン部
６１  床用エプロン部
１００，１０１  建物の壁
【図１】
2017222997.tif 000003
【図２】
2017222997.tif 000004
【図３】
2017222997.tif 000005
【図４】
2017222997.tif 000006
【図５】
2017222997.tif 000007
【図６】
2017222997.tif 000008
【図７】
2017222997.tif 000009
【図８】
2017222997.tif 000010